(57)【要約】【課題】  ベルト／プーリ式無段変速装置に於いて，ベルトとプーリの間の接線方向摩擦係数を高める一方で放射方向摩擦係数を低減することにより，より高いトルク伝達容量を有し且つ変速の容易性と迅速性に於いてより優れたベルト／プーリ式無段変速装置を提供する。【解決手段】  プーリの円錐状のベルト受け面に中心軸線に同心の多重環状溝を形成し、該多重環状溝を形成されたベルト受け面に当接する無端ベルトの側縁面にベルト延在方向に沿った平行溝を形成する。【選択図】    図１
2005114100.tif 000002
【特許請求の範囲】
【請求項１】
各々が一対の対向する実質的に円錐状のベルト受け面を呈する一対のプーリ半体を備えた複数のプーリ組立体の間に無端ベルトが掛け渡され、各プーリ組立体に於けるベルト巻き掛け半径の相対比の変化により該複数のプーリ組立体間に変速比を可変に制御された回転動力を伝達するベルト／プーリ式無段変速装置にして、前記プーリ半体の少なくとも一つはそのベルト受け面に該プーリ半体の中心軸線に同心の多重環状溝が形成されており、前記多重環状溝を形成されたベルト受け面に当接する前記無端ベルトの側縁面にベルト延在方向に沿った平行溝が形成されていることを特徴とするベルト／プーリ式無段変速装置。
【請求項２】
前記多重環状溝のピッチと前記平行溝のピッチとは互いに実質的に等しくされていることを特徴とするベルト／プーリ式無段変速装置。
【発明の詳細な説明】
【技術分野】
【０００１】
本発明は、ベルト／プーリ式無段変速装置に係り、特にそのベルトとプーリの間の摩擦係数に関する改良に係る。
【背景技術】
【０００２】
無段変速装置の一つとして、各々が一対の対向する円錐状のベルト受け面を呈する一対のプーリ半体を備えた複数のプーリ組立体の間に無端ベルトが掛け渡され、各プーリ組立体に於けるベルト巻き掛け半径の相対比の変化により該複数のプーリ組立体間に変速比を可変に調節された回転動力を伝達するベルト／プーリ式無段変速装置が知られている。かかるベルト／プーリ式無段変速装置の基本構成は図６および図７に例示されている如きものである。ここで、図７は該無段変速装置の解図的平面図であり、図６は図７にＶＩ−ＶＩとして示さ仮想切断面による無段変速装置の半分の側面の矢視図である。
【０００３】
これらの図に於いて、１０ａと１０ｂが一つのプーリ組立体１０を構成する一対のプーリ半体であり、また１２ａと１２ｂが他の一つのプーリ組立体１２を構成する一対のプーリ半体であり、この例では２つのプーリ組立体の間に一つの無端ベルト１４が掛け渡されている。プーリ１０ａは軸１６上に固定されており、軸１６がその一端部にて図にて一部のみ示されているハウジング１８より軸受２０を介して回転式に支持されていることにより、該軸とともに回転するようになっている。軸１６はその他端部にて軸受２２を介してハウジング１８より回転式に支持されている。軸１６には、その中間部より他端部の近傍までスプライン２４が形成されており、このスプライン部にこれと係合するスプライン孔を形成されたプーリ半体１０ｂが装着され、プーリ半体１０ｂはプーリ半体１０ａとの間の距離を可変に制御されつつこれとともに回転するようになっている。プーリ半体１０ｂの一端部には溝付きフランジ２６が設けられており、その環状溝にリニアアクチュエータ２８の可動子３０の先端が係合していることにより、可動子３０の移動によりプーリ半体１０ｂは軸１６のスプライン部に沿ってプーリ半体１０ａに対する隔置距離を可変に制御されるようになっている。軸１６の一端部には歯車３２が設けられている。
【０００４】
同様に、プーリ組立体１２に於いては、プーリ１２ａが軸３４上に固定され、軸３４がその一端部にてハウジング１８より軸受３６を介して回転式に支持され、他端部にて軸受３８を介してハウジング１８より回転式に支持されることにより、プーリ１２ａは軸３４とともに回転するようになっている。軸３４にも、その中間部より他端部の近傍までスプライン４０が形成されており、このスプライン部にこれと係合するスプライン孔を形成されたプーリ半体１２ｂが装着され、プーリ半体１２ｂはプーリ半体１２ａとの間の距離を可変に制御されつつこれとともに回転するようになっている。プーリ半体１２ｂの一端部には溝付きフランジ４２が設けられており、その環状溝にリニアアクチュエータ４４の可動子４６の先端が係合していることにより、可動子４６の移動によりプーリ半体１２ｂは軸３４のスプライン部に沿ってプーリ半体１２ａに対する隔置距離を可変に制御されるようになっている。軸３４の一端部には歯車４８が設けられている。
【０００５】
無端ベルト１４は、図８にその一つを取り出して斜視図にて示す如きベルトブロック５０を多数枚重ね合わせ、それらを各ベルトブロックの一対のサイドスリット５２に嵌め込まれた一対の無端ベルトシート５４にて連結したものである。各ベルトブロック５０はその両側面５６にてプーリ半体１０ａ、１０ｂおよび１２ａ、１２ｂのベルト受け面に当接するようになっている。かかるベルトブロックのプーリ当接面に図示の如くベルトに沿う方向に平行に溝５８を設け、ベルトとプーリの接触に於ける摩擦係数を高めることが、例えば下記の特許文献１に記載されている如く、既に知られている。
【０００６】
また上記の如きベルト／プーリ式無段変速装置に於いて、特に加速時の初期滑りを防止することを目的として、駆動側プーリの内径部と従動側プーリの外径部に放射状の凹凸を形成すべく放射溝を設けることが下記の特許文献２に記載されている。また、上記の如きベルト／プーリ式無段変速装置に於いて、プーリのベルトに対する摩擦係数をプーリの径が小さいところほど高くしておくことが、下記の特許文献３に記載されている。また、上記の如きベルト／プーリ式無段変速装置に於いて、プーリ径が小さい領域のプーリ表面にショットピーニングの如き摩擦係数および耐摩耗性を高める表面処理を施すことが下記の特許文献４に記載されている。また、上記の如きベルト／プーリ式無段変速装置に於いて、ベルトまたはプーリが互いに接触する面のいずれか一方または両方を凹凸により不連続な面とし、その際凹部の面積率を少なくとも５０％とすることが下記の特許文献５に記載されている。但し、凹凸の形態については、ベルトブロックの両側面に上記の特許文献１に示されている如き溝を設けること以外については、その態様は不明である。
【０００７】
更に、下記の特許文献６には、上記の如きベルト／プーリ式無段変速装置のトルク伝達容量を増大させる目的で、プーリの表面に放射状または同心円状に凸条を設けることが提案されている。この場合、凸条が放射状であるときには、ベルトとの接触領域の最外周部で０．２mm以上、１．３mm以下の範囲であることが好ましく、また凸条が同心円状であるときには、隣り合う凸条の間隔が０．２mm以上、１．３mm以下の範囲であることが好ましいとされている。
【特許文献１】特開平１０−１１５３４９号公報
【特許文献２】特開昭５９−２９８６２号公報
【特許文献３】特開昭６１−４８６５６号公報
【特許文献４】特開２００１−６５６５１号公報
【特許文献５】特開平２−２３６０４５号公報
【特許文献６】特開２００２−２１３５８０号公報
【発明の開示】
【発明が解決しようとする課題】
【０００８】
従来技術を示す図６および図７に於いて、今、プーリ組立体１０に於けるベルト１４の掛り径はＲ１の如く比較的大きく、プーリ組立体１２に於けるベルト１４の掛り径はＲ２の如く比較的小さとき、プーリ組立体１０が駆動側であり、プーリ組立体１２が従動側であるときには、変速比は１以下の増速状態にあり、逆にプーリ組立体１２が駆動側であり、プーリ組立体１０が従動側であるときには、変速比は１以上の減速状態にある。
【０００９】
かかる無段変速装置に於いては、変速比を変更すべきときには、リニアアクチュエータ２８および４４を作動させ、ベルト掛り径を増大すべき側の一対のプーリ半体を互いに近づけ、ベルト掛り径を低減すべき側の一対のプーリ半体を互いより遠ざけることが相反的に行われる。このとき一対のプーリ半体が互いに押し合わされることによりベルト掛り径が増大するには、プーリ放射方向に於けるプーリとベルトの間の摩擦係数をμr、一対のプーリ間の挾角をα、一対のプーリ半体間に作用される軸線方向の押合せ力をＦとすると、μrＦcos(α/２)＜Ｆsin(α/２)でなければならないので、μr＜tan(α/２)でなければならず、さもないと一対のプーリ半体を互いに押し合わせる力をいくら強くしてもベルトはプーリに対しプーリ放射方向には移動しない。従って、この種のベルト／プーリ式無段変速装置に於いては、プーリ間挾角αをより小さくしてコンパクトな設計を可能にしつつ変速を容易にするよう、ベルトとプーリ間のプーリ射方向摩擦係数はできるだけ小さく、しかもプーリとベルトの間の牽引方向、即ちプーリ周方向の係合度を高めてより高いトルク伝達容量を得るよう、ベルトとプーリ間のプーリ周方向の摩擦係数はできるだけ大きいことが望まれる。
【００１０】
一方、ベルト／プーリ式無段変速装置に於いては、従来よりプーリ半体のベルト受け面と無端ベルトの当接部の過度の磨耗を防ぎ、また変速装置の運転を滑らかにして騒音を抑制するため、プーリ半体のベルト受け面と無端ベルトの側縁面の間に潤滑油が施されている。かかる潤滑油は、それが極薄い膜を形成する適量にて施されれば、プーリ半体のベルト受け面と無端ベルトの側縁面の間の空滑りを防ぎ、牽引力を高めるので、トラクションオイルとも称されているが、その量が適量を越えると、潤滑作用を行い、変速は容易になるが、牽引力は低下するという問題を生ずる。
【００１１】
本発明は、上記の事情に鑑み、上記の如きベルト／プーリ式無段変速装置に於いて，接線方向摩擦係数を高める一方で放射方向摩擦係数を低減することにより，より高いトルク伝達容量を有し且つ変速の容易性と迅速性に於いてより優れたベルト／プーリ式無段変速装置を提供することを課題としている。
【課題を解決するための手段】
【００１２】
上記の課題を解決するものとして、本発明は、各々が一対の対向する実質的に円錐状のベルト受け面を呈する一対のプーリ半体を備えた複数のプーリ組立体の間に無端ベルトが掛け渡され、各プーリ組立体に於けるベルト巻き掛け半径の相対比の変化により該複数のプーリ組立体間に変速比を可変に制御された回転動力を伝達するベルト／プーリ式無段変速装置にして、前記プーリ半体の少なくとも一つはそのベルト受け面に該プーリ半体の中心軸線に同心の多重環状溝が形成されており、前記多重環状溝を形成されたベルト受け面に当接する前記無端ベルトの側縁面にベルト延在方向に沿った平行溝が形成されていることを特徴とするベルト／プーリ式無段変速装置を提案するものである。尚、ここで、実質的に円錐状のベルト受け面とは、ベルト受け面が幾何学的に厳密な円錐形状に限られず、ベルト／プーリ式無段変速装置を構成する上で実質的に同等に作動する形状をなしていてよいことを意味するものである。
【００１３】
この場合、前記多重環状溝のピッチと前記平行溝のピッチとは互いに実質的に等しくされていてよい。
【発明の効果】
【００１４】
各々が一対の対向する実質的に円錐状のベルト受け面を呈する一対のプーリ半体を備えた複数のプーリ組立体の間に無端ベルトが掛け渡され、各プーリ組立体に於けるベルト巻き掛け半径の相対比の変化により該複数のプーリ組立体間に変速比を可変に制御された回転動力を伝達するベルト／プーリ式無段変速装置に於いては、プーリのベルト受け面が滑らかな連続面であると、たとえベルトの側縁面に、図８を参照して説明した例の如く、ベルト延在方向に沿った平行溝が施されていても、放射方向の摩擦係数μrと周方向の摩擦係数μtとは、依然としてほぼ同じであり、また潤滑油（トラクションオイル）が施され、これによってプーリのベルト受け面に対するベルトのプーリ放射方向への移動の摩擦係数が低下し、変速がより容易に行われるようになったとしても、牽引力も摩擦係数の低下分に相当して低下するが、上記の如く無端ベルトの側縁面にベルト延在方向に沿った平行溝が形成されていることに加えて、そのように平行溝が形成された無端ベルトの側縁面と当接し合うプーリ半体のベルト受け面に該プーリ半体の中心軸線に同心の多重環状溝が形成されていると、以下に図２を参照して説明されるように、ベルト側縁面とプーリ半体のベルト受け面とが係合を開始する領域にて、平行溝の縁と多重環状溝の縁の漸進係合による「鋏効果」により、ベルト側縁面とプーリ半体のベルト受け面の両方から油膜がよりよく削り取られ、ほぼ半周に及ぶベルトとプーリの係合領域に於いて、油膜を最適に抑制制御され高い摩擦抵抗を呈するベルとプーリの接触が確実に得られる。
【００１５】
一方、変速比の変更に当ってベルトの掛かり径が変更されるときには、ベルト側縁面はプーリ半体のベルト受け面に対し単純に放射方向に動くので、この場合には上記の「鋏効果」は生じず、逆にベルトの平行溝とプーリの多重環状溝とはベルトがプーリに対し放射方向に溝ピッチの距離だけ移動する毎に溝内に蓄えられた潤滑油により溝間の互いの当接面が潤される状態が得られ、プーリに対するベルトの放射方向の移動は、よりよく潤滑されて軽くなる。
【００１６】
また、上記の多重環状溝のピッチと平行溝のピッチとが互いに実質的に等しくされていれば、これらの溝の形成によりベルト側縁面とプーリ半体のベルト受け面の間の接触面積が削減される度合が最小となり、変速装置のトルク伝達容量を可及的に大きくする上で有利である。このことにつては更に後述する。
【発明を実施するための最良の形態】
【００１７】
添付の図１は、図６に示した従来例のベルト／プーリ式無段変速装置のプーリ半体１０aおよび１２aに、本発明に従ってプーリ半体の中心軸線に同心の多重環状溝１１０ｇおよび１１２gが形成された一つの実施の形態を示す図６と同様の無段変速装置の半分の側面の矢視図である。プーリ半体１１０aおよび１１２aは、それぞれ多重環状溝１１０ｇおよび１１２gが形成されていることを除き、プーリ半体１０aおよび１２aと同じである。尚、同様の多重環状溝はプーリ半体１１０aおよび１１２bと対をなす他方のプーリ半体にも設けられるのが好ましいが、このことは必ずしも不可欠ではない。これらの多重環状溝１１０gおよび１１２gを施されたプーリ半体の間に掛け渡されて作動する無端ベルト１４は、図６〜８について説明した従来例のものと同じものであってよい。その場合、後程説明される理由により、ベルトの側縁面、特に図示の例ではベルトブロックの側縁面５６に設けられる平行溝５８のピッチと多重環状溝１１０gおよび１１２gのピッチとは実質的に同一とされるのが好ましい。
【００１８】
図２は、上記の多重環状溝１１０gまたは１１２gとベルトの側縁面に形成された平行溝５８とが同一のピッチにて形成されているとし、それらが丁度互いに整合した状態にあるとして、簡単のため溝のみの表示にて示す概略図である。従って、これらの互いに隣接する溝間の部分にはプーリのベルト受け面またはベルトの側縁面が存在する。ここでは、溝間にあるこれらの各一つをランド部と称することにする。今、プーリの回転により多重環状溝１１０gまたは１１２gは矢印にて示す如く時計回り方向に回転しているとし、それに応じてベルトの平行溝５８も矢印方向に移動しているとする。
【００１９】
そうすると、図中Ｓにて示す領域に於いては、多重環状溝１１０gまたは１１２g間のランド部と平行溝５８間のランド部とは互いにほぼ接触した状態でそれぞれの縁にて互いに他を斜めにしごきつつ次第に重合し、その重合状態を保って図中Ｆにて示す領域を移動する。かかる作動現象により、多重環状溝１１０gまたは１１２g間のランド部と平行溝５８間のランド部が互いに出会う以前にそれらの表面に付着していた油膜或は油滴は、両ランド部がそれぞれの縁にて互いに他を斜めにしごきつつ次第に重合する過程に於いて、恰も鋏が刃を閉じ合わされるとき互いに他の刃面を削るかの如く作用し合う作用により、各ランド部上からそれに隣あった溝へ向けてそぎ落とされ、両ランド部は、両者の空滑りは確実に阻止されるが両者間を潤滑して滑らせる程厚くはない極薄い牽引上最適の油膜を均一に保持した状態にて互いに当接するに至り、領域Ｆの全体にわたり両者間に高いトルク伝達能力をもたらす高摩擦接触が得られる。
【００２０】
一方、変速比を変更すべくプーリ半体１１０aまたは１１２a上に於けるベルトの掛り径が増大また低減されるべき時には、多重環状溝１１０gまたは１１２gに対するベルトの平行溝５８の移動は、領域Ｆ内にて半径方向に行われる。かかる半径方向の両ランド部の相対移動に於いては、両者間の移動は多重環状溝と平行溝を互いに他に対し平行に移動させる動きであり、上記の鋏効果は最早生じない。この場合には、両ランド部の間に溝の１ピッチに当たる距離の移動が生ずる度に両方の溝から両ランド部間に潤滑油が補給され、これによって両者間には十分な油膜が形成され、両者間の半径方向相対移動に於ける摩擦係数は大きく低減される。
【００２１】
図３は、一例として、プーリ多重環状溝およびベルト平行溝のいずれの溝幅率（＝溝幅／ピッチ）も１／４であるとき、（Ａ）ベルト平行溝のピッチがプーリ多重環状溝に等しい場合(Ｐb＝Ｐp）と、（Ｂ）ベルト平行溝のピッチがプーリ多重環状溝の１．０５倍である場合(Ｐb＝１．０５Ｐp）と、（Ｃ）ベルト平行溝のピッチがプーリ多重環状溝のピッチの０．９５倍である場合(Ｐb＝０．９５Ｐp）とで、プーリとベルトのランド部間の接触面積がどのように異なるかを、両者が一つの溝にて丁度整合した状態について対比して示す図である。図中、ａにて示す長さは上記（Ａ）の場合のプーリ溝５ピッチ分についてのプーリとベルトのランド部間の接触長さであり、ｂにて示す長さは上記（Ｂ）の場合のプーリ溝５ピッチ分についてのプーリとベルトのランド部間の接触長さであり、ｃにて示す長さは上記（Ｃ）の場合のプーリ溝５ピッチ分についてのプーリとベルトのランド部間の接触長さである。
【００２２】
同じ要領にて、プーリ多重環状溝およびベルト平行溝のいずれの溝幅率（＝溝幅／ピッチ）も１／４であるとき、（Ａ）ベルト平行溝のピッチがプーリ多重環状溝に等しい場合(Ｐb＝Ｐp）と、（Ｂ）ベルト平行溝のピッチがプーリ多重環状溝の１．１０倍である場合(Ｐb＝１．１０Ｐp）と、（Ｃ）ベルト平行溝のピッチがプーリ多重環状溝のピッチの０．９０倍である場合(Ｐb＝０．９０Ｐp）とで、プーリとベルトのランド部間の接触面積がどのように異なるかが、図４に示されている。
【００２３】
また、同様に、プーリ多重環状溝およびベルト平行溝のいずれの溝幅率（＝溝幅／ピッチ）も１／４であるとき、（Ａ）ベルト平行溝のピッチがプーリ多重環状溝に等しい場合(Ｐb＝Ｐp）と、（Ｂ）ベルト平行溝のピッチがプーリ多重環状溝の１．２０倍である場合(Ｐb＝１．２０Ｐp）と、（Ｃ）ベルト平行溝のピッチがプーリ多重環状溝のピッチの０．９０倍である場合(Ｐb＝０．９０Ｐp）とで、プーリとベルトのランド部間の接触面積がどのように異なるかが、図５に示されている。
【００２４】
これらの図より、領域Ｓにて上記の鋏効果を得てプーリとベルトのランド部より油膜をそぎ落しつつ、領域Ｆに於ける両ランド部間の接触面積を可及的に大きく保ってベルト／プーリ間のトルク伝達能力を高めるには、プーリの多重環状溝とベルトの平行溝とが同ピッチとされるのが好ましいことが理解されよう。尚、実際には、プーリの多重環状溝とベルトの平行溝との間の相対的位置関係は１ピッチの範囲内にて種々に変化するが、発明者が行った同様の解析の結果によれば、プーリの多重環状溝とベルトの平行溝との間の相対的位置関係が種々に変化しても、プーリの多重環状溝とベルトの平行溝とが同ピッチとされるのが好ましいことに変わりないことが確認された。
【００２５】
また、上に説明した本発明の作動原理より、本発明を実施するにあたってのプーリの多重環状溝とベルトの平行溝のピッチおよび溝幅率、溝の深さ、溝の横断面形状等の選定は、各ベルト／プーリ式無段変速装置の仕様に応じて適宜に選定されてよい設計的事項であり、本発明の技術的範囲を制限するものではないことは明らかであろう。
【００２６】
以上に於いては本発明を一つの実施の形態について詳細に説明したが、かかる実施の形態について本発明の範囲内にて種々の変更が可能であることは当業者にとって明らかであろう。
【図面の簡単な説明】
【００２７】
【図１】本発明によるベルト／プーリ式無段変速装置の一つの実施の形態を示すその半分の側面図。
【図２】本発明によりプーリとベルトに設けられるプーリ多重環状溝とベルト平行溝の相互作用を説明する概略図。
【図３】プーリ多重環状溝とベルト平行溝のピッチ関係が無段変速装置のトルク伝達容量に及ぼす影響を一つの例について示す説明図。
【図４】プーリ多重環状溝とベルト平行溝のピッチ関係が無段変速装置のトルク伝達容量に及ぼす影響を他の一つの例について示す説明図。
【図５】プーリ多重環状溝とベルト平行溝のピッチ関係が無段変速装置のトルク伝達容量に及ぼす影響を更に他の一つの例について示す説明図。
【図６】ベルト／プーリ式無段変速装置の従来例を図１に示す本発明によるベルト／プーリ式無段変速装置の実施の形態に対応する形態にて示すその半分の側面図。
【図７】図６に示すベルト／プーリ式無段変速装置の解図的平面図。
【図８】ベルトブロックの一つを取り出して示す斜視図。
【符号の説明】
【００２８】
１０，１２…プーリ組立体、１０a，１０b，１２a，１２b…プーリ半体、１４…無端ベルト、１６…軸、１８…ハウジング、２０，２２…軸受、２４…スプライン、２６…溝付きフランジ、２８…リニアアクチュエータ、３０…可動子、３２…歯車、３４…軸、３６，３８…軸受、４０…スプライン、４２…溝付きフランジ、４４…リニアアクチュエータ、４６…可動子、４８…歯車、５０…ベルトブロック、５２…サイドスリット、５４…無端ベルトシート、５６…側縁面、５８…平行溝、１１０a，１１２b…プーリ半体、１１０g，１１２g…多重環状溝
【図１】
2005114100.tif 000003
【図２】
2005114100.tif 000004
【図３】
2005114100.tif 000005
【図４】
2005114100.tif 000006
【図５】
2005114100.tif 000007
【図６】
2005114100.tif 000008
【図７】
2005114100.tif 000009
【図８】
2005114100.tif 000010